(57)【要約】      （修正有）【課題】片手で簡便に本を取ることができるブックグリップを提供する。【解決手段】下端前方に下部支持突出部１１が、上端に上部本体出入り穴１２が設けられている直方体状の下部本体１０と、上端前方に上部支持突出部２１が設けられ、下端部が下部本体１０の出入り穴１２に摺動自在に挿入されて、後面にページ固定クリップ設置孔２５が設けられている直方体状の上部本体２０と、下部本体１０の後面に取り付けられている取っ手３０と、一端部が上部本体２０の下部支持突出部２１に支持されて、他端部が下部本体１０の下部支持突出部１１の先端を経由して下部本体１０の後面下端部に設置される長さ調節ねじ６０に支持される固定紐４０と、弾性支持部５１が設けられて、上部本体２０の設置孔２５に上下方向に摺動自在に挿入される結合部５２が後方に設けられているページ固定クリップ５０とを具備する。【選択図】図１
2008100499.tif 000002
【特許請求の範囲】
【請求項１】
下端前方に下部支持突出部が設けられていて、上端に上部本体出入り穴が設けられている直方体状の下部本体と、
上端前方に上部支持突出部が設けられていて、下端部分が前記下部本体の出入り穴に摺動自在に挿入されていて、後面にページ固定クリップ設置孔が設けられている直方体状の上部本体と、
前記下部本体の後面に取り付けられている取っ手と、
一端部が前記上部本体の上部支持突出部に支持されており、他端部が前記下部本体の下部支持突出部の先端部分を経由して前記下部本体の後面下端部分に設置されている長さ調節ねじに支持されている固定紐と、
前方に弾性支持部が設けられていて、前記上部本体の設置孔に上下方向に摺動自在に挿入されている結合部が後方に設けられているページ固定クリップと、
を具備するブックグリップ。
【請求項２】
前記取っ手は、前面板と後面バンドとを含み、
前記前面板は、その中央部が回動中心ピンを通じて前記下部本体に回動自在に取り付けられていて、前記前面板の前面上端部分と下端部分とに係止突起が形成されていると共に、前記下部本体の後面上部と下部とにその回転と対応する弧形多段係止溝が設けられていて、前記下部本体に対して前記取っ手の支持角度を一定範囲内で自在に調節する、請求項１に記載のブックグリップ。
【請求項３】
前記下部本体は、後面上端両側部分に設けられた前記係止突起と、後面下端の両側部分に設けられた前記係止孔と、後面に設置されているスタンド支持脚とを含んでおり、
前記スタンド支持脚には、前記下部本体の下端両側に前記係止孔と対応する係止折り曲げ部が設けられていて、上端後方に支持突出部が設けられている、請求項１または２に記載のブックグリップ。
【請求項４】
前記上部本体の上部支持突出部に設置孔を設けて前記固定紐の一端を支持して、前記下部本体の下部支持突出部の先端中央に凹部を設けて前記固定紐を固定する、請求項１ないし３のうちいずれか一つに記載のブックグリップ。
【発明の詳細な説明】
【技術分野】
【０００１】
本発明は、片手で簡便に本を持つことができるブックグリップ(Book Grip)に関する。さらに詳しくは、移動中やソファーに楽に座った状態で本を手軽に読めるようにしたブックグリップに関する。
【背景技術】
【０００２】
一般に、本を読む時には必ず机に本を載せて正しい姿勢で座って読むものではなくて、移動中やあるいはソファーなどに座って片手で本を持って読む場合も少なくない。
しかし、読むために本を開けると、本の構造上、開かれたページが元どおりに戻ろうとする力が作用するから、片手で本を持ちやすくなく、本の背表紙に角張った部位があるので、不便な状態で持つしかなくなる。
【０００３】
また、従来に提案された各種読書台は、本を机に載せて楽に見ることができるが、必ず平面上に載せるようになっているので、移動中やソファーでは使うことができない。
【発明の開示】
【発明が解決しようとする課題】
【０００４】
本発明は、前記従来の実情を勘案して案出したものであり、その目的は、開かれた本を片手で楽に持って簡便に読めるようにするブックグリップを提供することにある。
【課題を解決するための手段】
【０００５】
前記目的を達成するために、本発明は、前方下端に下部支持突出部が設けられた長方形の下部本体に前方上端に上部支持突出部が設けられた上部本体を摺動自在に設置すると共に下部支持突出部と上部支持突出部との間に固定紐を設置して、下部本体の後面に取っ手を取り付けることなどを特徴とする。
【発明の効果】
【０００６】
本発明のブックグリップ、前方下端に下部支持突出部が設けられた長方形の下部本体の前方上端に上部支持突出部が設けられた上部本体を摺動自在に設置すると共に下部支持突出部と上部支持突出部との間に固定紐を設置して、下部本体の後面に取っ手を取り付けて、上部本体２０にページ固定クリップ５０を上下方向に摺動自在に支持したものである。よって本発明によると、歩いて移動する途中や楽に座った状態で片手により簡便に本を広げて読めるようになるので、使用者の便宜を大きく増進することができるようになるなどの効果を得ることができる。
【発明を実施するための最良の形態】
【０００７】
以下、本発明の具体的な技術内容を添付図面に基づいてさらに詳しく説明する。
すなわち、図１は、本発明の一実施例の分解斜視図である。図２及び図３は、同実施例の前方斜視図及び後方斜視図である。図４は、同実施例の縦断面図である。図５は、同実施例の取っ手と下部本体の分解斜視図である。
本発明のブックグリップ１００は、下部本体１０と、上部本体２０と、取っ手３０と、固定紐４０と、ページ固定クリップ５０とを具備している。
【０００８】
下部本体１０は、直方体状であり、下端前方に下部支持突出部１１が設けられ、上端部分に上部本体出入り穴１２が設けられている。
上部本体２０は、直方体状であり、上端前方に上部支持突出部２１が設けられ、下端部分が下部本体１０の出入り穴１２に摺動自在に設置されて、後面にページ固定クリップ設置孔２５が設けられている。
【０００９】
取っ手３０は、下部本体１０の後面に取り付けられている。
固定紐４０は、一端部分が上部本体２０の上部支持突出部２１に支持され、他端部分は、下部本体１０の下部支持突出部１１の先端部分を経由して下部本体１０の後面下端部分に設置される長さ調節ねじ６０に支持されている。
ページ固定クリップ５０は、前方に弾性支持部５１が設けられて、後方に上部本体２０の設置孔２５に上下方向に摺動自在に取り付けられる結合部５２が設けられている。
【００１０】
図示された実施例では、取っ手３０は、前面板３１と後面バンド３２とで構成され、前面板３１の中央部を回動中心ピン３３を通じて下部本体１０に回動自在に取り付けられている。また、前面板３１の上端部と下端部に係止突起３４を形成すると共に、下部本体１０の後面上部と下部に、その回転と対応する弧形多段係止溝１４を設けて、下部本体１０に対して取っ手３０の支持角度を一定範囲内で自在に調節するようにした形態を有する。
【００１１】
本発明において後面バンド３２は、面ファスナーを用いて長さの調節が可能であるようにすることによって、使用者の手の大きさによって前面板３１と後面バンド３２との間に形成される挿入空間を調節するようにすることが望ましい。
併せて、図示された実施例は、下部本体１０の後面上端の両側部分に係止突起１５を設け下部本体１０の後面下端の両側部分に係止孔１６を設けて、係止孔１６と対応する係止折り曲げ部７１を有し上端後方に支持突出部７２が設けられたスタンド支持脚７０を下部本体１０の後面に設置する。これにより、机などに広げた本２００を立てておいたり、または重い本２００を使用者の身体部位を利用して安定に支持するようにしたりすることができる。
【００１２】
さらに、図示された実施例は、上部本体２０の上部支持突出部２１に設置孔(２１a)を設けて固定紐４０の一端を支持し、下部本体１０の下部支持突出部１１の先端中央に凹部１１aを設けて固定紐が左右に流動されないようにした形態を有する。  本発明において、ページ固定クリップ５０とスタンド支持脚７０は弾性がある金属ワイヤで製作することが望ましい。
【００１３】
前記のように構成された本発明においては、下部本体１０から上部本体２０を摺動させ下部支持突出部１１及び上部支持突出部２１の間の距離を本の高さと対応するようにする。そして、本２００を開いて固定紐４０と下部本体１０と上部本体２０との間に本２００を挟んだ後に下部本体１０と上部本体２０の前面が本２００の横面(製本部位)に密着するように移動させ、開かれた本２００の上端と下端とを下部支持突出部１１及び上部支持突出部２１で支持するようにする。そして前面中央に固定紐４０が位置するようにして、ページ固定クリップ５０を下降させて、その弾性支持部５１で本２００の前面上部を押すようにする。すると、図６及び図９のように、本２００を開いた状態で安定に支持することができるようになる。またこの状態で一方の手を取っ手３０に挟んで、手の平で下部本体１０を支持するようにすると、開かれた本２００を楽に持って読めるようになる。
【００１４】
本発明において、下部支持突出部１１及び上部支持突出部２１の間の距離を調節する時には、長さ調節ねじ６０を緩めるか、または締めて固定紐４０の長さを調節しなければならないことは勿論である。また、取っ手３０を一方向に回転させて下部本体１０に対する取っ手３０の支持角度を調節する場合には、より楽に本２００を支えて持つことができるようになる。例えば、左手で本２００を支える場合には図６のように取っ手３０を時計の反対方向にすこし回転させると、左手を斜めに挟んでより楽に本２００を支えることができるようになる。また、右手で本２００を支える場合には、取っ手３０を時計方向にすこし回転させるようになると、右手を斜めに挟んでより楽に本２００を支えることができるようになる。
【００１５】
さらに、本発明において図示された実施例のように、下部本体１０の後面にスタンド支持脚７０を設置した場合には、図７のようにスタンド支持脚７０の上端部を下部本体１０の係止突起１５に結合した状態で後方に反らしたスタンド支持脚７０の下端部と下部本体１０の下端部とを机面などに着地させるようにすると、既存の読書台と同様に開けた本を立てておいたまま読めるようになる。また図８のように、スタンド支持脚７０下端の係止折り曲げ部７１を下部本体１０の後面下部両側の係止孔１６に結合した状態で、スタンド支持脚７０の上端部を下部に反らすようになると、重い本を片手で持つ時にスタンド支持脚７０を使用者の腹部やその外の身体部位によって支持することで本２００の荷重を分散させることができるようになるので、より安定に本２００を支えて持つことができるようになる。
【００１６】
以上では、本発明を前記した望ましい実施例を中心に記述したが、本発明はこれに限定されるものではなくて、本発明の技術分野に慣れた技術者であれば、添付される特許請求の範囲に基づいて多様に変形して実施できるであろう。
【図面の簡単な説明】
【００１７】
【図１】本発明の一実施例の分解斜視図である。
【図２】同実施例の前方斜視図である。
【図３】同実施例の後方斜視図である。
【図４】同実施例の縦断面図である。
【図５】同実施例の取っ手と下部本体の分解斜視図である。
【図６】同実施例の装着状態の正面図である。
【図７】同実施例おいて、スタンド支持脚を立てた状態の側面図である。
【図８】同実施例の身体部位を利用して支持する状態の側面図である。
【図９】同実施例の装着状態の斜視図である。
【符号の説明】
【００１８】
１００  ブックグリップ
１０  下部本体
１１  下部支持突出部
１２  上部本体出入り穴
１４  多段係止溝
１５  係止突起
１６  係止孔
２０  上部本体
２１  上部支持突出部
２５  ページ固定クリップ設置孔
３０  取っ手
３１  前面板
３２  後面バンド
３３  回動中心ピン
３４  係止突起
４０  固定紐
５０  ページ固定クリップ
５１  弾性支持部
５２  結合部
６０  長さ調節ねじ
７０  スタンド支持脚
７１  係止折り曲げ部
７２  支持突出部
２００  本
【図１】
2008100499.tif 000003
【図２】
2008100499.tif 000004
【図３】
2008100499.tif 000005
【図４】
2008100499.tif 000006
【図５】
2008100499.tif 000007
【図６】
2008100499.tif 000008
【図７】
2008100499.tif 000009
【図８】
2008100499.tif 000010
【図９】
2008100499.tif 000011